【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
（Ａ）ポリマーブレンドの総重量に基づき、６０〜８０重量％の、０℃未満のガラス転移温度を有する少なくとも１種の軟質生分解性ポリマー（Ａ）；及び
（Ｂ）ポリマーブレンドの総重量に基づき、４０〜２０重量％の、１０℃より高いガラス転移温度を有する少なくとも１種の硬質生分解性ポリマー（Ｂ）
を含んでなり、且つＡＳＴＭ  Ｄ２５６によるノッチ付きアイゾッド衝撃強さが少なくとも７．５ｆｔ−ｌｂｓ／ｉｎであるポリマーブレンド。
【請求項２】
（Ａ）−１０℃未満のＴｇを有する少なくとも１種の前記生分解性ポリマー（Ａ）；及び
（Ｂ）２０℃より高いＴｇを有する少なくとも１種の前記生分解性ポリマー（Ｂ）
を含んでなる請求項１に記載のポリマーブレンド。
【請求項３】
（Ａ）−２０℃未満のＴｇを有する少なくとも１種の前記生分解性ポリマー（Ａ）；及び
（Ｂ）３０℃より高いＴｇを有する少なくとも１種の前記生分解性ポリマー（Ｂ）
を含んでなる請求項２に記載のポリマーブレンド。
【請求項４】
（Ａ）−３０℃未満のＴｇを有する少なくとも１種の前記生分解性ポリマー（Ａ）；及び
（Ｂ）４０℃より高いＴｇを有する少なくとも１種の前記生分解性ポリマー（Ｂ）
を含んでなる請求項３に記載のポリマーブレンド。
【請求項５】
ポリマーブレンドの総重量に基づき、１〜５０重量％の少なくとも１種の生分解性添加剤（Ｃ）を含んでなり、且つＡＳＴＭ  Ｄ２５６によるノッチ付きアイゾッド衝撃強さが少なくとも７．５ｆｔ−ｌｂｓ／ｉｎである請求項１に記載のポリマーブレンド。
【請求項６】
前記ポリマー（Ａ）が脂肪族−芳香族ポリエステル、炭素数が少なくとも５の反復単位を含む脂肪族ポリエステル、ポリカプロラクトン及びスクシネート基材脂肪族ポリマーからなる群から選ばれる請求項１に記載のブレンド。
【請求項７】
前記ポリマー（Ａ）が脂肪族−芳香族ポリエステル、ポリヒドロキシバレレート、ポリヒドロキシブチレート−ヒドロキシバレレート、ポリカプロラクトン、ポリブチレンスクシネート、ポリブチレンスクシネートアジペート及びポリエチレンスクシネートからなる群から選ばれる請求項１に記載のブレンド。
【請求項８】
前記の少なくとも１種のポリマー（Ａ）が脂肪族−芳香族ポリエステルである請求項１に記載のブレンド。
【請求項９】
前記の少なくとも１種のポリマー（Ａ）が、
（１）１種又はそれ以上の芳香族ジカルボン酸残基１〜６５モル％；並びに炭素数４〜１４の脂肪族ジカルボン酸残基及び炭素数５〜１５の脂環式ジカルボン酸残基からなる群から選ばれた１種又はそれ以上の非芳香族ジカルボン酸残基９９〜３５モル％を含んでなる二酸残基（二酸残基の総モル％は１００モル％に等しい）；並びに
（２）炭素数２〜８の１種又はそれ以上の脂肪族ジオール、炭素数２〜８の１種又はそれ以上のポリアルキレンエーテル及び炭素数４〜１２の１種又はそれ以上の脂環式ジオールからなる群から選ばれたジオール残基（ジオール残基の総モル％は１００モル％に等しい）
を含む脂肪族−芳香族ポリエステルである請求項８に記載のブレンド。
【請求項１０】
前記芳香族ジカルボン酸がテレフタル酸、イソフタル酸又はそれらの混合物からなる群から選ばれる請求項９に記載のブレンド。
【請求項１１】
前記脂肪族−芳香族コポリエステルが２５〜６５モル％のテレフタル酸残基を含む請求項１０に記載のブレンド。
【請求項１２】
前記脂肪族−芳香族コポリエステルが３５〜６５モル％のテレフタル酸残基を含む請求項１１に記載のブレンド。
【請求項１３】
前記脂肪族−芳香族コポリエステルが４０〜６０モル％のテレフタル酸残基を含む請求項１２に記載のブレンド。
【請求項１４】
前記の１種又はそれ以上の非芳香族ジカルボン酸残基がアジピン酸、グルタル酸又はそれらの混合物からなる群から選ばれる請求項９に記載のブレンド。
【請求項１５】
前記の１種又はそれ以上の脂肪族−芳香族コポリエステルがアジピン酸又はグルタル酸からなる群から選ばれた非芳香族ジカルボン酸を７５〜３５モル％含む請求項１４に記載のブレンド。
【請求項１６】
前記脂肪族−芳香族コポリエステルがアジピン酸又はグルタル酸からなる群から選ばれた前記の１種又はそれ以上の非芳香族ジカルボン酸を６５〜３５モル％含む請求項１５に記載のブレンド。
【請求項１７】
前記脂肪族−芳香族コポリエステルがアジピン酸又はグルタル酸からなる群から選ばれた前記の１種又はそれ以上の非芳香族ジカルボン酸を４０〜６０モル％含む請求項１６に記載のブレンド。
【請求項１８】
ポリエステル（Ａ）の１種又はそれ以上のジオール残基がエチレングリコール、ジエチレングリコール、プロピレングリコール、１，３−プロパンジオール、２，２−ジメチル−１，３−プロパンジオール、１，３−ブタンジオール、１，４−ブタンジオール、１，５−ペンタンジオール、１，６−ヘキサンジオール、ポリエチレングリコール、ジエチレングリコール、２，２，４−トリメチル−１，６−ヘキサンジオール、チオジエタノール、１，３−シクロヘキサンジメタノール、１，４−シクロヘキサンジメタノール、２，２，４，４−テトラメチル−１，３−シクロブタンジオール、トリエチレングリコール又はテトラエチレングリコールからなる群から選ばれる請求項１に記載のブレンド。
【請求項１９】
前記脂肪族−芳香族コポリエステルのジオール残基が脂肪族ジオール残基から本質的になる請求項１に記載のブレンド。
【請求項２０】
前記ポリエステル（Ａ）が１，４−ブタンジオール、１，３−プロパンジオール、エチレングリコール、１，６−ヘキサンジオール、ジエチレングリコール又は１，４−シクロヘキサンジメタノールからなる群から選ばれる１種又はそれ以上のジオールを含む請求項１９に記載のブレンド。
【請求項２１】
前記脂肪族−芳香族コポリエステルが１，４−ブタンジオール、エチレングリコール又は１，４−シクロヘキサンジメタノールからなる群から選ばれた１種又はそれ以上のジオールを含む請求項２０に記載のブレンド。
【請求項２２】
前記脂肪族−芳香族コポリエステルのジオール残基が１，４−ブタンジオールを含んでなる請求項２１に記載のブレンド。
【請求項２３】
前記ジオール残基が８０〜１００モル％の１，４−ブタンジオールを含み、ジオール残基の総モル％が１００モル％に等しい請求項２２に記載のブレンド。
【請求項２４】
前記脂肪族−芳香族コポリエステルの二酸及びジオール残基が、
（１）２５〜６５モル％のテレフタル酸残基及び７５〜３５モル％の非芳香族ジカルボン酸残基を含む芳香族ジカルボン酸残基；並びに
（２）脂肪族ジオールからなるジオール残基
から本質的になる請求項９に記載のブレンド。
【請求項２５】
前記脂肪族−芳香族コポリエステルの二酸及びジオール残基が、
（１）２５〜６５モル％のテレフタル酸残基及び７５〜３５モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項２４に記載のブレンド。
【請求項２６】
前記脂肪族−芳香族コポリエステルの二酸及びジオール残基が、
（１）３５〜６５モル％のテレフタル酸残基及び６５〜３５モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項２５に記載のブレンド。
【請求項２７】
前記脂肪族−芳香族コポリエステルの二酸及びジオール残基が、
（１）４０〜６０モル％のテレフタル酸残基及び６０〜４０モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項２６に記載のブレンド。
【請求項２８】
前記ポリマー（Ｂ）がポリエステルアミド、改質ポリエチレンテレフタレート、ポリ乳酸を基材とするバイオポリマー、ポリヒドロキシアルカノエート、ポリヒドロキシブチレート、ポリヒドロキシバレレート及びポリヒドロキシブチレート−ヒドロキシバレレートコポリマーからなる群から選ばれる請求項１に記載のブレンド。
【請求項２９】
前記の少なくとも１種のポリマー（Ｂ）がポリ乳酸を基材とするバイオポリマーである請求項２８に記載のブレンド。
【請求項３０】
（Ａ）（１）芳香族ジカルボン酸残基１〜６５モル％と炭素数４〜１４の脂肪族ジカルボン酸残基及び炭素数５〜１５の脂環式ジカルボン酸残基からなる群から選ばれた非芳香族ジカルボン酸残基９９〜３５モル％を含む二酸残基（二酸残基の総モル％は１００モル％に等しい）；並びに
（２）炭素数２〜８の１種又はそれ以上の脂肪族ジオール、炭素数２〜８の１種又はそれ以上のポリアルキレンエーテル及び炭素数４〜１２の１種又はそれ以上の脂環式ジオールからなる群から選ばれたジオール残基（ジオール残基の総モル％は１００モル％に等しい）
を含む、ガラス転移温度が０℃未満の少なくとも１種のポリマー（Ａ）を、ポリマーブレンドの総重量に基づき、６０〜８０重量％；
（Ｂ）ポリ乳酸を基材とするバイオポリマーである、ガラス転移温度が１０℃より高い少なくとも１種のポリマー（Ｂ）を、ポリマーブレンドの総重量に基づき、３０〜２０重量％
含んでなり、ＡＳＴＭ  Ｄ２５６によるノッチ付きアイゾッド衝撃強さが少なくとも７．５ｆｔ−ｌｂｓ／ｉｎであるポリマーブレンド。
【請求項３１】
ポリマーブレンドの総重量に基づき１〜５０重量％の少なくとも１種の生分解性添加剤（Ｄ）を含む請求項３０に記載のブレンド。
【請求項３２】
前記脂肪族−芳香族コポリエステルが２５〜６５モル％のテレフタル酸残基を含む請求項３０に記載のブレンド。
【請求項３３】
前記脂肪族−芳香族コポリエステルが３５〜６５モル％のテレフタル酸残基を含む請求項３２に記載のブレンド。
【請求項３４】
前記脂肪族−芳香族コポリエステルが４０〜６０モル％のテレフタル酸残基を含む請求項３３に記載のブレンド。
【請求項３５】
前記非芳香族ジカルボン酸残基がアジピン酸、グルタル酸又はそれらの混合物からなる群から選ばれる請求項３０に記載のブレンド。
【請求項３６】
前記脂肪族−芳香族コポリエステルがアジピン酸、グルタル酸又はそれらの混合物からなる群から選ばれる非芳香族ジカルボン酸を７５〜３５モル％含む請求項３５に記載のブレンド。
【請求項３７】
前記脂肪族−芳香族コポリエステルがアジピン酸、グルタル酸又はそれらの混合物からなる群から選ばれる非芳香族ジカルボン酸を６５〜３５モル％含む請求項３６に記載のブレンド。
【請求項３８】
前記脂肪族−芳香族コポリエステルがアジピン酸、グルタル酸又は２種若しくはそれ以上のそれらの二酸残基の組合せからなる群から選ばれる非芳香族ジカルボン酸を４０〜６０モル％含む請求項３０に記載のブレンド。
【請求項３９】
前記脂肪族−芳香族ポリエステルの１種又はそれ以上のジオール残基がエチレングリコール、ジエチレングリコール、プロピレングリコール、１，３−プロパンジオール、２，２−ジメチル−１，３−プロパンジオール、１，３−ブタンジオール、１，４−ブタンジオール、１，５−ペンタンジオール、１，６−ヘキサンジオール、ポリエチレングリコール、ジエチレングリコール、２，２，４−トリメチル−１，６−ヘキサンジオール、チオジエタノール、１，３−シクロヘキサンジメタノール、１，４−シクロヘキサンジメタノール、２，２，４，４−テトラメチル−１，３−シクロブタンジオール、トリエチレングリコール又はテトラエチレングリコールからなる群から選ばれる請求項３０に記載のブレンド。
【請求項４０】
前記脂肪族−芳香族コポリエステルの１種又はそれ以上のジオール残基が脂肪族ジオール残基から本質的になる請求項３０に記載のブレンド。
【請求項４１】
前記脂肪族−芳香族コポリエステルの１種又はそれ以上のジオール残基が１，４−ブタンジオール、１，３−プロパンジオール、エチレングリコール、１，６−ヘキサンジオール、ジエチレングリコール又は１，４−シクロヘキサンジメタノールからなる群から選ばれるジオールを含む請求項４０に記載のブレンド。
【請求項４２】
前記脂肪族−芳香族コポリエステルの１種又はそれ以上のジオール残基が１，４−ブタンジオール、エチレングリコール又は１，４−シクロヘキサンジメタノールからなる群から選ばれるジオールを含む請求項４１に記載のブレンド。
【請求項４３】
前記脂肪族−芳香族コポリエステルの１種又はそれ以上のジオール残基が１，４−ブタンジオールを含む請求項４２に記載のブレンド。
【請求項４４】
前記ジオール残基が８０〜１００モル％の１，４−ブタンジオールを含んでなり、ジオール残基の総モル％が１００モル％に等しい請求項４３に記載のブレンド。
【請求項４５】
前記ジオール残基が９５〜１００モル％の１，４−ブタンジオールを含んでなり、ジオール残基の総モル％が１００モル％に等しい請求項４４に記載のブレンド。
【請求項４６】
前記脂肪族−芳香族コポリエステルの二酸及びジオール残基が、
（１）２５〜６５モル％のテレフタル酸残基及び７５〜３５モル％の非芳香族ジカルボン酸残基を含む芳香族ジカルボン酸残基；並びに
（２）脂肪族ジオールからなるジオール残基
から本質的になる請求項３０に記載のブレンド。
【請求項４７】
前記脂肪族−芳香族コポリエステルの二酸及びジオール残基が、
（１）２５〜６５モル％のテレフタル酸残基及び７５〜３５モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項４６に記載のブレンド。
【請求項４８】
前記脂肪族−芳香族コポリエステルの二酸及びジオール残基が、
（１）３５〜６５モル％のテレフタル酸残基及び６５〜３５モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項４７に記載のブレンド。
【請求項４９】
前記脂肪族−芳香族コポリエステルの二酸及びジオール残基が、
（１）４０〜６０モル％のテレフタル酸残基及び６０〜４０モル％のアジピン酸残基、グルタル酸残基又はアジピン酸残基とグルタル酸残基との組合せを含む芳香族ジカルボン酸残基；並びに
（２）１，４−ブタンジオールからなるジオール残基
から本質的になる請求項４８に記載のブレンド。
【請求項５０】
前記ポリマー（Ｂ）がポリエステルアミド、改質ポリエチレンテレフタレート、ポリ乳酸を基材とするバイオポリマー、ポリヒドロキシアルカノエート、ポリヒドロキシブチレート、ポリヒドロキシバレレート及びポリヒドロキシブチレート−ヒドロキシバレレートコポリマーからなる群から選ばれる請求項１又は３０に記載のブレンド。
【請求項５１】
（Ａ）（１）テレフタル酸残基３５〜６５モル％とアジピン酸残基、グルタル酸残基又はアジピン酸とグルタル酸残基との組合せ６５〜３５モル％を含む芳香族ジカルボン酸残基；及び
（２）１，４−ブタンジオールからなるジオール残基
から本質的になる少なくとも１種のポリマー（Ａ）をポリマーブレンドの総重量に基づき７０〜８０重量％；並びに
（Ｂ）ポリ乳酸を基材とするバイオポリマーである少なくとも１種のポリマー（Ｂ）をポリマーブレンドの総重量に基づき３０〜２０重量％
含んでなり、ＡＳＴＭ  Ｄ２５６によるノッチ付きアイゾッド衝撃強さが少なくとも７．５ｆｔ−ｌｂｓ／ｉｎであるポリマーブレンド。
【請求項５２】
前記脂肪族−芳香族コポリエステルが、アジピン酸又はグルタル酸からなる群から選ばれた１種又はそれ以上の非芳香族ジカルボン酸４０〜６０モル％を含む請求項５１に記載のブレンド。
【請求項５３】
前記ポリマー（Ｂ）がポリエステルアミド、改質ポリエチレンテレフタレート、ポリ乳酸を基材とするバイオポリマー、ポリヒドロキシアルカノエート、ポリヒドロキシブチレート、ポリヒドロキシバレレート及びポリヒドロキシブチレート−ヒドロキシバレレートコポリマーからなる群から選ばれる請求項１に記載のブレンド。
【請求項５４】
前記脂肪族−芳香族コポリエステルが分岐している請求項１、３０又は５１に記載のブレンド。
【請求項５５】
可塑剤を含んでなる請求項１、３０又は５１に記載のブレンド。
【請求項５６】
前記可塑剤がＮ−エチル−ｏ，ｐ−トルエンスルホンアミド、２−エチルヘキシル＝ジフェニル＝ホスフェート、イソデシルジフェニルホスフェート、燐酸トリブチル、ｔ−ブチルフェニル＝ジフェニル＝ホスフェート、燐酸トリクレジル、クロロパラフィン（塩素６０％）、クロロパラフィン（塩素５０％）、コハク酸ジエチル、マレイン酸ジ−ｎ−ブチル、ジ−（２−エチルヘキシル）マレエート、ステアリン酸ｎ−ブチル、アセチルトリエチルシトレート、クエン酸トリエチル、クエン酸トリ−ｎ−ブチル、アセチルトリ−ｎ−ブチルシトレート、オレイン酸メチル、フマル酸ジブチル、アジピン酸ジイソブチル、アゼライン酸ジメチル、エポキシ化アマニ油、グリセロールモノオレエート、メチルアセチルリシノレエート、ｎ−ブチルアセチルリシノレエート、プロピレングリコールリシノレエート、ポリエチレングリコール２００ジベンゾエート、ジエチレングリコールジベンゾエート、ジプロピレングリコールジベンゾエート、フタル酸ジメチル、フタル酸ジエチル、ジ−ｎ−ブチルフタレート、フタル酸ジイソブチル、ブチルベンジルフタレート、又はグリセロールトリアセテートからなる群から選ばれる請求項５５に記載のブレンド。
【請求項５７】
請求項１、３０又は５１に記載のポリマーブレンドを含んでなるフィルム又はシート。
【請求項５８】
前記フィルム又はシートが押出又はカレンダー加工によって製造される請求項５７に記載のフィルム又はシート。
【請求項５９】
請求項１、３０又は５１に記載のポリマーブレンドを含んでなる射出成形品。
【請求項６０】
前記ブレンドのＡＳＴＭ  Ｄ２５６によるノッチ付きアイゾッド衝撃強さが少なくとも７．５ｆｔ−ｌｂｓ／ｉｎである請求項１に記載のポリマーブレンドを含んでなる製造品。